(57)【要約】  【課題】周辺への悪影響がないようアンテナ出力し、またタグ情報の読み取り精度も向上させることが出来る冷蔵庫を提供する。  【解決手段】ドアスイッチにより冷蔵庫ドアの開閉を検出するドア開閉検出手段と、アンテナから電波を出力することにより物品に取付けられたタグの情報を読み取るタグデータ読取手段と、ドア開閉検出手段からの信号に従ってタグデータ読取手段に読み取り指令を出す第１の制御手段を設けることにより、冷蔵庫ドアが閉じられているときにアンテナから電波を出力することが容易にできる。【選択図】図３
2007137553.tif 000002
【特許請求の範囲】
【請求項１】
物品収納あるいは物品貯蔵を行なう物品保管装置本体と、前記物品保管装置本体に設けられた扉の閉動作に伴って、もしくは閉扉時に前記物品保管装置本体内に収納あるいは貯蔵されている物品情報の授受を無線媒体によって行なう管理制御手段を備えた物品保管装置。
【請求項２】
前記管理制御手段を、前記物品に取付けられ、該物品の情報を保持したタグと、前記タグが保持する物品情報を、前記無線媒体を介して読み取るタグデータ読取手段と、前記無線媒体の出力を制御する出力制御手段を有するものとした請求項１に記載の物品保管装置。
【請求項３】
前記タグデータ読取手段を、前記扉の閉扉動作に連動してもしくは閉扉動作後に作動させる請求項１または２に記載の物品保管装置（自動化で容易）。
【請求項４】
前記管理制御手段に、前記無線媒体の出力時間を所定時間に規制するタイマ手段を設けた請求項１から３のいずれか一項に記載の物品保管装置。
【請求項５】
前記扉開閉前後の庫内の物品情報を記憶する記憶手段と、前記記憶手段の物品情報を入力として閉扉後における物品情報を所定処理する処理手段を備えた請求項１から４のいずれか一項に記載の物品保管装置。
【請求項６】
前記タグデータ読取手段に、前記無線媒体を出力するアンテナを設け、前記アンテナを、前記物品保管装置本体内部を複数段もしくは複数列に仕切る棚に設けた請求項１から５のいずれか一項に記載の物品保管装置。
【発明の詳細な説明】
【技術分野】
【０００１】
本発明は、冷凍庫あるいは冷蔵庫、さらには他の類似保管装置における収納物品の在庫管理装置に関するものである。
【背景技術】
【０００２】
従来から、冷蔵庫内に収納する物品の管理を自動的に行ない、食品の腐敗や使い忘れ防止する装置が多く発明されている。特に近年、無線通信によって情報の送受信を行ない、冷蔵庫に収納されている物品の在庫管理を行なう装置が提案されており、なかでも非接触ＩＣタグ用リーダライタを冷蔵庫に設けた物品管理装置が知られている（特許文献１参照）。
【０００３】
かかる管理装置は、冷蔵庫のドアを開いた状態でアンテナから電波を出力し、利用者が物品を出し入れする動作タイミングで前記非接触ＩＣタグの情報を読み書きする制御となっている。
【特許文献１】特開２００１−３１７８６２号公報
【発明の開示】
【発明が解決しようとする課題】
【０００４】
しかしながら、従来の物品管理装置は、冷蔵庫のドアを開いた状態で管理情報を取得する電波を出力するため、周辺の機器に誤動作や悪影響を及ぼす可能性があり、また電波による人体への影響も考慮しなければならない。
【０００５】
また、上記それぞれの悪影響を防ぐために、出力を抑えることも考えられるが、かかる対策は、前記非接触ＩＣタグの読み取り精度が悪くなってしまう欠点がある。
【０００６】
さらに、前記ドアが開いている限り前述の読取のために常にアンテナへの出力を行なうため、電力を必要以上に消費するものであった。
【０００７】
本発明は、上記従来の課題を解決するもので、周辺への悪影響がないように電波等の無線媒体の出力を行ない、またタグ情報の読み取り精度も向上させる管理制御が行なえるようにすることを目的とする。
【課題を解決するための手段】
【０００８】
上記従来の課題を解決するために、本発明の物品保管装置は、物品保管装置に収納あるいは貯蔵されている物品情報の授受を無線媒体によって行なう管理制御手段を備え、開扉時に前記管理制御手段の授受動作を停止するものである。
【０００９】
これにより、開扉時における電波漏洩等に起因した種々の弊害が防止あるいは抑制できるものである。
【００１０】
また、本発明の物品保管装置は、前記タグデータ読取手段を、前記扉の閉扉動作に連動してもしくは閉扉動作後に作動させるもので、スイッチ手段等にて扉の開閉を容易に検出することが可能であり、前記タグデータ読取手段の作動の自動化が容易に行なえるものである。
【発明の効果】
【００１１】
本発明は、物品保管装置の閉扉状態で物品情報の認識動作を行なうため、その認識のために出力する電波等の無線媒体が外部に洩れることがなく、前記無線媒体の外部への洩れに起因する不都合を解消することができるものである。
【００１２】
また、本発明は、非接触ＩＣタグの情報をタグデータ読取手段にて読み取るものであり、制御回路の電子化が容易で、その読み取り動作も扉の開閉と連動させることができ、自動化も容易で操作性および使い勝手が向上するものである。
【００１３】
また、認識した物品情報を、庫外表示等の情報源として活用することができるため、用途に応じた展開を広げることもできるものである。
【発明を実施するための最良の形態】
【００１４】
請求項１に記載の発明は、物品収納あるいは物品貯蔵を行なう物品保管装置本体と、前記物品保管装置本体に設けられた扉の閉動作に伴って、もしくは閉扉時に前記物品保管装置本体内に収納あるいは貯蔵されている物品情報の授受を無線媒体によって行なう管理制御手段を備えたものである。
【００１５】
かかる構成とすることにより、物品保管装置の閉扉状態で物品情報の認識動作を行なうため、その認識のために出力する電波等の無線媒体が外部に洩れることがなく、前記無線媒体の外部への洩れに起因する不都合を解消することができるものである。また、前記物品情報の認識動作における精度向上のために、電波等の前記無線媒体の出力を大きくすることも可能であり、かかる場合においても外部への影響は解消されるものである。
【００１６】
請求項２に記載の発明は、前記管理制御手段を、前記物品に取付けられ、該物品の情報を保持したタグと、前記タグが保持する物品情報を前記無線媒体を介して読み取るタグデータ読取手段と、前記無線媒体の出力を制御する出力制御手段を有するものとしたものである。
【００１７】
かかる構成とすることにより、前記出力制御手段の動作によって物品情報の認識動作が行なえ、物品の収納あるいは貯蔵状況を、電子情報として取得、保管できる。
【００１８】
請求項３に記載の発明は、前記タグデータ読取手段を、前記扉の閉扉動作に連動してもしくは閉扉動作後に作動させるものである。
【００１９】
かかる構成とすることにより、前記物品情報の認識動作が自動化でき、操作性、使い勝手が向上できるものである。
【００２０】
請求項４に記載の発明は、前記管理制御手段に、前記無線媒体の出力時間を所定時間に規制するタイマ手段を設けたものである。
【００２１】
かかる構成とすることにより、不必要に物品情報の認識動作が行なわれることもなく、節電効果が図れるものである。
【００２２】
請求項５に記載の発明は、前記扉開閉前後の庫内の物品情報を記憶する記憶手段と、前記記憶手段の物品情報を入力として閉扉後における物品情報を所定処理する処理手段を備えたものである。
【００２３】
かかる構成とすることにより、前記記憶手段の物品情報を入力として収納あるいは貯蔵物品のリスト管理が可能となり、物品補充あるいは物品入替え等のユーザ管理行為の一助に加え、電子情報であることから、例えば、外部への表示情報として利用できる等、物品情報の処理を幅広い用途に利用、活用することができる。
【００２４】
請求項６に記載の発明は、前記タグデータ読取手段に、前記無線媒体を出力するアンテナを設け、前記アンテナを、前記物品保管装置本体内部を複数段もしくは複数列に仕切る棚に設けたものである。
【００２５】
かかる構成とすることにより、前記棚を挟む両空間の収納、貯蔵物品の情報を読み取ることができ、量空間が異なる収納、貯蔵環境であっても物品管理が可能となる。
【００２６】
以下、本発明の実施の形態について、図面を参照しながら説明する。
【００２７】
（実施の形態１）
図１は、本発明における物品保管装置の実施の形態１を示す冷蔵庫の扉の一部を開放した斜視図、図２は、同冷蔵庫における異なる扉の一部を開放した縦断面図、図３は、同冷蔵庫における制御ブロック図、図４は、同制御ブロックによる冷蔵庫の動作内容を示すフローチャートである。
【００２８】
図１において、冷蔵庫本体１は、周知の如く断熱筐体で構成され、内部に冷蔵室２、野菜室３、冷凍室４を備えている。冷蔵室２は、周知の如く内部が棚板（図示せず）により複数段に区画されて使用されるもので、冷蔵室２の前面には、冷蔵庫本体１の一側端で上下に設けられたヒンジ５に軸支された冷蔵室扉６が回動自在に設けられている。また、野菜室２および冷凍室４には、それぞれ箱状の容器７、８と一体化された野菜室扉９、冷凍室扉１０が設けられている。その結果、野菜室３、冷凍室４は、引出し式の開閉構造となっている。さらに、冷蔵室２の前面には、冷蔵室扉６の開閉に伴いＯＮ・ＯＦＦ動作するドアスイッチ１１が設けられ、また、野菜室３、冷凍室４の各前面についても同様に、野菜室扉９、冷凍室扉１０の開閉（引出し、押込み）操作に伴ってＯＮ・ＯＦＦ動作するドアスイッチ１２、１３がそれぞれ設けられている。
【００２９】
上記構成からなる冷蔵庫は、周知の構成であり、また本発明の制御と直接関連するものではないため、詳細な説明を省略する。
【００３０】
また、冷蔵室２の内部背面には、後述するタグデータ読取手段を構成する冷蔵室アンテナ１４が設けられ、さらに野菜室３についても内部天面に、後述するタグデータ読取手段を構成する野菜室アンテナ１５が設けられている。冷蔵室アンテナ１４、野菜室アンテナ１５についても周知の構成でよいため、詳細な説明は省略する。
【００３１】
そして、冷蔵庫本体１には、冷蔵室２内および野菜室３内に収納されている貯蔵物（図示せず）の在庫状況を管理する管理制御手段（図示せず）が設けられている。
【００３２】
次に、図３により前記管理制御手段の構成について説明する。ここでは、冷蔵室２、野菜室３に貯蔵される貯蔵物に、それぞれの物品情報である識別情報（例えば、品種、品名、重量、賞味期限等）が書き込まれた周知の構成からなる非接触ＩＣタグ（以下、タグと称す）が取付けられていることを前提に説明する。
【００３３】
図３において、管理制御手段２１は、ドアスイッチ１１、１２の開閉信号（ＯＮ・ＯＦＦ信号）を入力し、少なくとも扉が開放であることを判別する開閉判別手段２２と、開閉判別手段２２の判別信号を入力し、タグ２３の識別情報（物品情報であって、以下、タグ情報と称す）を読み取る動作を開始するタグデータ読取手段２４と、タグデータ読取手段２４の読み取り信号の出力・停止を制御する出力制御手段２５と、出力制御手段２５の出力信号により所定周波数の電波を冷蔵室２内あるいは野菜室３内へ発生するアンテナ１４、１５を備えている。
【００３４】
ここで、前記所定周波数の電波を生成、出力する具体的な回路等については周知の構成でよいため、説明を省略する。また、タグデータ読取手段２４によるタグ情報の具体的な認識処理プロセス、内容等についても周知の範囲でよいため、説明を省略する。
【００３５】
次に、図４によりタグデータ読取手段２４が前記タグ情報を読み取る制御内容について説明する。ここでは、説明の便宜上、冷蔵室２内における貯蔵物品の出し入れに伴うタグ情報処理について説明する。
【００３６】
冷蔵室扉６が開放され（Ｓｔｅｐ１）、冷蔵室２内での物品の出し入れが終了し（Ｓｔｅｐ２）、冷蔵室扉６が閉塞されると、開閉判別手段２２により扉が「閉」であることを判別し（Ｓｔｅｐ３）、タグデータ読取手段２４がタグ情報を読み取る動作を開始する。
【００３７】
すなわち、出力制御手段２５がアンテナ１４へ読み取り信号を出力し、アンテナ１４から冷蔵室２内へ電波が出力される（Ｓｔｅｐ４）。この電波の影響を受けてタグ２３の情報が読み取られ、タグデータ読取手段２４は、タグ情報を記憶する（Ｓｔｅｐ５）。
【００３８】
そして、タグデータ読取手段２４によるタグ情報の処理が完了すると、その信号を受けて出力制御手段２５は、アンテナ１４の動作を停止し（Ｓｔｅｐ６）、これで一通りのタグ情報処理が終了し、以下、冷蔵室扉６の開放に伴って前述の動作が行なわれる。
【００３９】
なお、タグデータ読取手段２５により処理されたタグ情報の用途としては、前記タグ情報の内容に応じて表示あるいは警告等に活用できる。例えば、表示であれば品種、品名表示が行なえ、また警告であれば、賞味期限をユーザに促すことができる。
【００４０】
さらに、先の説明では、冷蔵室２内での管理制御について説明したが、野菜室３についても同様の処理フローで制御されるものである。また、必要に応じて冷凍室４にもアンテナを設け、同様に管理制御することも当業者であれば容易に実施でき得ることである。
【００４１】
したがって、庫内の物品管理状況を掌握するためのタグ情報の授受制御は、冷蔵室扉６あるは野菜室扉９等が閉塞された状態で行なわれるため、授受制御の無線媒体である電波が冷蔵庫本体１の外部へ影響することはなく、周辺機器への悪影響が解消でき、また人体への影響を考慮する必要もなくなるものである。
【００４２】
しかも、扉が閉塞されてから一括してタグ２３のデータを読み書きするため、必要以上の電力を消費することなく省エネを図ることができる。
【００４３】
さらに、無線媒体である電波の外部への漏洩の心配がないため、これらの影響を考慮して前記タグ情報の読取のための強度（アンテナ出力）を下げる必要性もなく、その結果、前記読み取り精度が向上でき、信頼性を損なうこともない。
【００４４】
また、前記タグ情報を電子情報として取得、管理できるため、その電子情報を周知の表示制御回路の情報源として利用し、表示機能等を付加することへの活用用途が広まり、ユーザへの利便性を高めることができる。
【００４５】
さらに、前記タグデータ読取手段は、冷蔵庫扉６等の扉の開閉に連動し、閉扉動作後に行なうため、無線媒体の外部への漏洩がなく、しかも手を煩わすこともないため、使い勝手のよいものとなる。
【００４６】
なお、管理制御手段２１は、マイクロコンピュータを主体とする電子制御回路にて構成されるもので、具体的な構成内容は周知のものから容易に具現化できることは言うまでもない。
【００４７】
（実施の形態２）
次に、本発明における実施の形態２について説明する。なお、ここでは説明の便宜上物品保管装置を先の実施の形態１で説明した冷蔵庫とし、先の実施の形態１と異なる制御内容について説明する。
【００４８】
図５は、同実施の形態２における制御ブロック図を示し、図６は同制御ブロックによる冷蔵庫の動作内容を示すフローチャートである。
【００４９】
図５において、先の実施の形態１と相違する点は、管理制御手段２１に、タグデータ読取手段２４の停止動作タイミングを制御するタイマ手段２６を設けた点である。
【００５０】
したがって、タグデータ読取手段２４は、タグ情報の処理後から所定時間（例えば３秒）後に動作を停止し、同時にアンテナへの出力も停止される。
【００５１】
次に、図６を用いてタグデータ読取手段２４が前記タグ情報を読み取る制御内容について説明する。ここについても、説明の便宜上、冷蔵室２内における貯蔵物品の出し入れに伴うタグ情報処理について説明する。
【００５２】
図６において、冷蔵室扉６が開放され（Ｓｔｅｐ１）、冷蔵室２内での物品の出し入れが終了し（Ｓｔｅｐ２）、冷蔵室扉６が閉塞されると、開閉判別手段２２により扉が「閉」であることを判別し（Ｓｔｅｐ３）、タグデータ読取手段２４がタグ情報を読み取る動作を開始する。
【００５３】
すなわち、出力制御手段２５がアンテナ１４へ読み取り信号を出力し、アンテナ１４から冷蔵室２内へ電波が出力される（Ｓｔｅｐ４）。この電波の影響を受けてタグ２３の情報が読み取られ（Ｓｔｅｐ５）、タグデータ読取手段２４は、タグ情報を記憶する（Ｓｔｅｐ６）。
【００５４】
そして、タグデータ読取手段２４によるタグ情報の処理が完了すると、その信号を受けてタイマ手段２６が所定時間をカウントし（Ｓｔｅｐ７）、出力制御手段２５は、アンテナ１４の動作を停止し（Ｓｔｅｐ８）、これで一通りのタグ情報処理が終了し、以下、冷蔵室扉６の開放に伴って前述の動作が行なわれる。
【００５５】
したがって、本実施の形態２では、先の実施の形態１による作用効果に加えて、タグデータ読取手段２４によるタグ情報の処理が完了すると、所定時間経過後にアンテナ１４の動作を停止するため、必要以上に電力消費することがなく、省エネ効果を得ることができる。
【００５６】
なお、野菜室３あるいは冷凍室４についても同様に実施できることは言うまでもない。また、管理制御手段２１についても、先の実施の形態１と同様にマイクロコンピュータを主体とする電子制御回路にて構成されるもので、具体的な構成内容は周知のものから容易に具現化できることは言うまでもない。
【００５７】
（実施の形態３）
次に、本発明における実施の形態３について説明する。なお、本実施の形態３についても、説明の便宜上物品保管装置を先の実施の形態１で説明した冷蔵庫とし、先の実施の形態１および実施の形態２と異なる制御内容について説明する。
【００５８】
図７は、同実施の形態３における制御ブロック図を示し、図８は同制御ブロックによる冷蔵庫の動作内容を示すフローチャートである。
【００５９】
図７において、先の実施の形態１と異なる点は、管理制御手段２１に、タグデータ読取手段２４によるタグ情報処理に、例えば冷蔵室２内における収納物品の変更内容をリスト管理する記憶手段２７を設けた点である。
【００６０】
記憶手段２７は、タグデータ読取手段２４から読み取られたタグ情報を、記憶するもので、冷蔵室２内から取出された物品、および冷蔵室２に収納された各物品のタグ情報をリスト管理するもので、例えば収納物品の出し入れ日時、品種、重量、賞味期限等の管理に必要なタグ情報を記憶する。
【００６１】
さらに詳述すると、記憶手段２７は、冷蔵室扉６の開扉前の収納物品リストＡを備えており、冷蔵室扉６の閉扉後には、別途収納物品リストＢを作成し、最終は、収納物品リストＡ、Ｂを比較し、取出し物品および新たに収納した物品を精査して、収納物品リストＡが更新される。
【００６２】
次に、図８を用いてタグデータ読取手段２４がタグ情報を読み取り、記憶手段２７にてリスト管理される制御内容について説明する。ここについても、説明の便宜上、冷蔵室２内における貯蔵物品の出し入れに伴うタグ情報処理について説明する。
【００６３】
図８において、冷蔵室扉６が開放され（Ｓｔｅｐ１）、冷蔵室２内での物品の出し入れが終了し（Ｓｔｅｐ２）、冷蔵室扉６が閉塞されると、開閉判別手段２２により扉が「閉」であることを判別し（Ｓｔｅｐ３）、タグデータ読取手段２４がタグ情報を読み取る動作を開始する。
【００６４】
すなわち、出力制御手段２５がアンテナ１４へ読み取り信号を出力し、アンテナ１４から冷蔵室２内へ電波が出力される（Ｓｔｅｐ４）。この電波の影響を受けてタグ２３の情報が読み取られ（Ｓｔｅｐ５）、出力制御手段２５によってアンテナ１４の動作を停止する（Ｓｔｅｐ６）。
【００６５】
その後、管理制御手段２１では、タグデータ読取手段２４の読み取り情報を基に物品収納リストＢが作成され（Ｓｔｅｐ７）、既に作成している冷蔵室扉６解放前の物品収納リストＡとの比較が行なわれ（Ｓｔｅｐ８）、相違するデータ即ち、出し入れされた物品が精査、識別され（Ｓｔｅｐ９）、最終の物品収納リストＡが作成、記憶される（Ｓｔｅｐ１０）。これで管理制御手段２１による一通りのタグ情報処理が終了し、以下、冷蔵室扉６の開放に伴って前述の動作が行なわれる。
【００６６】
したがって、本実施の形態３では、先の実施の形態１による作用効果に加えて、タグデータ読取手段２４によるタグ情報の読み取り処理が完了すると、冷蔵室２内の在庫状況（物品収納状況）を最新の内容に更新、管理するため、例えばその最新情報をユーザが必要なときに確認することができ、利便性の向上を図ることができる。ここで、その確認手段としては、前述の管理内容を電子データにて行なうことから、その電子データを利用し、表示スイッチの操作によって表示パネルに表示する等、周知の手段でもって容易に実施できることは言うまでもない。
【００６７】
また、必要に応じて、Ｓｔｅｐ６のアンテナ出力停止を先の実施の形態２で示すように時間制限するように構成すれば、同様の省エネ効果が得られ、かかる構成とすることも当業者であれば容易であることは言うまでもない。
【００６８】
なお、野菜室３あるいは冷凍室４についても同様に実施できることは言うまでもない。また、管理制御手段２１についても、先の実施の形態１と同様にマイクロコンピュータを主体とする電子制御回路にて構成されるもので、具体的な構成内容は周知のものから容易に具現化できることは言うまでもない。
【００６９】
（実施の形態４）
次に、図９に基づき本発明における実施の形態４について説明する。なお、本実施の形態４については、説明の便宜上物品保管装置を冷蔵庫とし、特に構成を要旨とする関係から、制御内容については説明を省略する。また、先の実施の形態１と同一の構成要件については、同一の符号を付して説明を省略する。
【００７０】
図９は、同実施の形態４における冷蔵庫の冷蔵室の扉を開放した状態を示す正面図である。
【００７１】
図９において、冷蔵室２の内部は、室内を複数に区画する複数の棚板３１、３２が設けられている。特に、下段の棚板３２下面には、先の実施の形態１と同様の構成、機能をもつ専用温度帯室アンテナ３３が設けられている。そして、専用室アンテナ３３は、一部が棚板３２より冷蔵室内に突出して臨むように取付けられている。
【００７２】
また、下段の棚板３２により区画形成された冷蔵室２の最下段には、周知の如く独自の冷気供給制御により、内部をパーシャル等の専用温度帯に維持した引出し式の専用室３４が設けられている。
【００７３】
したがって、専用室アンテナ３３は、専用室３４内に収納された生鮮食品等の収納物に設けられたタグ（図示せず）のタグ情報を読み取ることができることに加えて、一部が冷蔵室２内に臨んでいることから、閉扉時において、棚板３２に載置された収納物品、あるいは冷蔵室扉６の背面（冷蔵室２内側）に設けられた収納棚３５の一部の収納物品のタグ情報をも読み取ることができる。
【００７４】
なお、棚板３２の上面にもアンテナ（図示せず）を取付けることにより、棚板３２上に載置された収納物品のタグ情報を読み取ることができることは言うまでもない。
【００７５】
さらに、上記各実施の形態１から実施の形態４においては、タグデータ読取手段が読み取り動作を行なうための物品情報の授受を行なう無線媒体を、電波を例にして説明したが、前記電波の授受方式としては、電磁誘導方式、電磁結合方式、静電誘導方式、あるいはこれらの複合方式が好ましい。
【産業上の利用可能性】
【００７６】
以上のように、本発明の物品保管装置は、保管室内部の物品収納状況を、非接触ＩＣタグの情報を読み取り管理するもので、その用途は冷蔵庫に限るものではなく、前記被接触ＩＣタグを取付けた収納物品であれば、その収納保管装置として、ショーケース、自動販売機、箪笥等の用途にも適用できるものである。
【図面の簡単な説明】
【００７７】
【図１】本発明の実施の形態１における冷蔵庫の扉の一部を開放した斜視図
【図２】同実施の形態１における冷蔵庫の異なる扉の一部を開放した縦断面図
【図３】同実施の形態１における冷蔵庫の制御ブロック図
【図４】同実施の形態１における冷蔵庫の動作内容を説明するフローチャート
【図５】本発明の実施の形態２における冷蔵庫の制御ブロック図
【図６】同実施の形態２における冷蔵庫の動作内容を説明するフローチャート
【図７】本発明の実施の形態３における冷蔵庫の制御ブロック図
【図８】同実施の形態３における冷蔵庫の動作内容を説明するフローチャート
【図９】本発明の実施の形態４における冷蔵室扉を開放した冷蔵庫の冷蔵室部分の斜視図
【符号の説明】
【００７８】
１    冷蔵庫本体
２    冷蔵室
３    野菜室
４    冷凍室
５    ヒンジ
６    冷蔵室扉
９    野菜室扉
１０  冷凍室扉
１１  ドアスイッチ
１２  ドアスイッチ
１３  ドアスイッチ
１４  冷蔵室アンテナ
１５  野菜室アンテナ
２１  管理制御手段
２２  開閉判別手段
２３  タグ
２４  タグデータ読取手段
２５  出力制御手段
２６  タイマ手段
２７  記憶手段
３１  棚板
３２  棚板
３３  専用室アンテナ
３４  専用室
３５  収納棚
【図１】
2007137553.tif 000003
【図２】
2007137553.tif 000004
【図３】
2007137553.tif 000005
【図４】
2007137553.tif 000006
【図５】
2007137553.tif 000007
【図６】
2007137553.tif 000008
【図７】
2007137553.tif 000009
【図８】
2007137553.tif 000010
【図９】
2007137553.tif 000011